(57)【要約】      （修正有）【課題】角度調節ができ、角度の変更位置を手を通して体感でき、且つロック機構を付与した表示用ホルダを提供する。【解決手段】突部２５を先端に備える横Ｖ字形状の弾性支持部２４を下部に、窓部２１を上部に、それぞれ有する枠体状のロック/アンロック操作部材２と、弾性支持部２４の突部２５が嵌合する係止孔１３と、ロック/アンロック操作部材２の上下方向の移動を案内する案内部と、舌状の弾性係止片１４をそれぞれ背面に備える表示本体１と、陳列棚の前方部に配した取付部に係合する係合部材３１、舌状の弾性係止片１４と係合する複数の係止溝３６とを備える取付部材３と、を有する表示用ホルダ１０。【選択図】図３
2008151984.tif 000002
【特許請求の範囲】
【請求項１】
突部を先端に備える弾性支持部を下部に、窓部を上部に、それぞれ有する枠体状のロック/アンロック操作部材と、
該弾性支持部の突部が嵌合する係止孔と、該ロック/アンロック操作部材の上下方向の移動を案内する案内部と、舌状の弾性係止片をそれぞれ背面に備える表示本体と、
陳列棚等の前方部に配した取付部に係合する係合部材と、該舌状の弾性係止片と係合する複数の係止溝とを備える取付部材と、を有することを特徴とする表示用ホルダ。
【請求項２】
該弾性支持部は、横Ｖ字形状であって、該弾性支持部の突部が該表示本体の背面に形成された係止孔に回動自在に嵌合することによって該ロック/アンロック操作部材の上下移動を弾性的に支持するようにしたことを特徴とする請求項１記載の表示用ホルダ。
【請求項３】
該ロック/アンロック操作部材は、表示本体の背面と該舌状の弾性係止片間に配置され、ロックとなる組み付け状態において、該舌状の弾性係止片の裏面が、該ロック/アンロック操作部材の上端と窓部間にある桟部材に当接又は近接し、該弾性支持部の弾性に抗して該ロック/アンロック操作部材を押し上げるロック解除状態において、該舌状の弾性係止片の先端部が、該ロック/アンロック操作部材の窓部に対峙する位置にあることを特徴とする請求項１又は２記載の表示用ホルダ。
【請求項４】
該係合部材の上部又は下部のいずれか一方又は双方が、外側に向かって広がる八の字形状の弾性取付片であることを特徴とする請求項１〜３のいずれか１項に記載の表示用ホルダ。
【請求項５】
該係合部材は、弾性押圧片を備えるフック部材であることを特徴とする請求項１〜３のいずれか１項に記載の表示用ホルダ。
【発明の詳細な説明】
【技術分野】
【０００１】
本発明は表示用ホルダ、詳しくはスーパーマーケットなどの商品陳列棚に商品の価格等を表示する電子棚札や表示板を装着するために使用される表示用ホルダに関するものである。
【背景技術】
【０００２】
商品の価格等を表示する電子棚札を装着するために使用される表示用ホルダは、商品陳列棚に設置される際、顧客の目から表示部が見易いようにする必要がある。通常、商品陳列棚は、上下多段であるため、表示部の角度を調節自在とする機能を付与したものが要求される。また、角度調節機構は、角度調節のし易さと、角度調節位置を手を通して体感できるものが好ましい。また、一旦調節した後は、僅かな外力では調節位置が変わらないロック機構を付与したものも要望されている。
【０００３】
特開２００３−２３３３２３号公報には、陳列棚等に設けられた取付部材に取付パーツを介して回動自在に取り付けられる表示本体の表示角度を調節自在にした表示用ホルダにおいて、前記表示本体の後方に設けられた案内部に沿って上下方向に移動するスライドアダプタの上方に弾性支持片が突設されると共に該弾性支持片の端部が前記表示本体の背面に設けられた係止孔に係止され、前記スライドアダプタの後方に突出された角度調節片の下面に形成された複数の係止溝のうち任意の係止溝が前記取付パーツの上部の係止片に係止される構成を有し、前記弾性支持片の弾性力に抗して前記スライドアダプタを押し上げることによって前記弾性支持片の係止溝を前記取付パーツの係止片から解除すると共に所望の弾性支持片の係止溝を前記取付パーツの係止片に落とし込んで係止することにより、前記表示本体の表示角度を調節するようにした表示用ホルダが開示されている。
【０００４】
この表示用ホルダによれば、陳列棚等に設けられた取付部材に取付パーツを介して回動自在に取り付けられた表示本体の表示角度を調節する際に、スライドアダプタを押し上げることによって取付パーツの係止片と弾性支持片の係止溝との係合を解除して、表示本体をフリーの状態で回動し、所望の表示角度に至ったときにスライドアダプタの押上げをはなすことによって所望の係止溝が取付パーツの係止片に落とし込まれて係止され、これによって表示本体を所望の角度に調節した固定状態にすることができる。
【特許文献１】特開２００３−２３３３２３号公報（請求項１）
【発明の開示】
【発明が解決しようとする課題】
【０００５】
しかしながら、従来の表示用ホルダは、角度調節はできるものの、角度調節位置を体感できるものではない。また、角度調節位置を体感するためには、スライドアダプタの押し上げ力を微妙に調節すればよいが、日常の作業途中においては、このような微妙な調節は実際には行うことがない。従って、角度調節ができ、角度の変更位置を体感でき、且つロック機構を付与した表示用ホルダの開発が望まれていた。
【０００６】
従って、本発明の目的は、角度調節ができ、角度の変更位置を体感でき、且つロック機構を付与した表示用ホルダを提供することにある。
【課題を解決するための手段】
【０００７】
すなわち、本発明は、上記課題を解決するものであって、突部を先端に備える弾性支持部を下部に、窓部を上部に、それぞれ有する枠体状のロック/アンロック操作部材と、該弾性支持部の突部が嵌合する係止孔と、該ロック/アンロック操作部材の上下方向の移動を案内する案内部と、舌状の弾性係止片をそれぞれ背面に備える表示本体と、陳列棚等の前方部に配した取付部に係合する係合部材と、該舌状の弾性係止片と係合する複数の係止溝とを備える取付部材と、を有する表示用ホルダを提供するものである。
【発明の効果】
【０００８】
本発明の表示用ホルダによれば、ロック位置にある組み付け状態においては、ロック/アンロック操作部材の上部の桟部材が、舌状の弾性係止片に当接又は近接するため、舌状の弾性係止片は変形できず、取付部材の係止溝との係止が外れることはない。このため、僅かな外力では容易には外れない。一方、弾性支持部の弾性に抗してロック/アンロック操作部材を押し上げることでロックを解除する際、舌状の弾性係止片の先端部は、ロック/アンロック操作部材の窓部に対峙する位置にくるため、舌状の弾性係止片は取付部材の係止溝を形成する係止突起に押されれば窓部側へ容易に変形する。従って、このような支えが外れた係止状態においては、表示本体の回動、すなわち角度の調節が容易であると共に、係止片と係止溝の係止と解除が、例えばカチ、カチとなる音感や振動などで感じることができる。
【発明を実施するための最良の形態】
【０００９】
次ぎに本発明の第１の実施の形態における表示ホルダを図１〜１０を参照して説明する。図１は本実施の形態例の表示ホルダの斜視図、図２は図１の表示ホルダを裏から見た斜視図、図３は図１の表示ホルダの分解斜視図、図４は図１の表示ホルダの裏から見た分解斜視図、図５は図１の表示ホルダ（ロック状態）の側面図、図６はロック状態における舌状の弾性係止片とロック/アンロック操作部材の位置関係を説明する図、図７はアンロック状態における舌状の弾性係止片とロック/アンロック操作部材の位置関係を説明する図、図８はアンロック状態における表示ホルダの側面図、図９は商品陳列棚に設置された表示ホルダの側面図、図１０は他の商品陳列棚に設置された表示ホルダの側面図をそれぞれ示す。本明細書において、「背面」、「後方」は顧客側の反対側を言う。
【００１０】
表示ホルダ１０は、ロック/アンロック操作部材（以下、単に「操作部材」とも言う。）２と、表示本体１と、取付部材３を組み付けたものである。操作部材２は、突部２５を先端に備える横Ｖ字形状の弾性支持部２４を下部に、窓部２１を上部に、それぞれ有する肉抜きされた枠体状のものである。弾性支持部２４は、操作部材２の下部の第２窓部２２内に、正面視で第２窓部２２の左下隅から逆「く」字形状となるように形成されている。また、操作部材２の下端部は凹面状２６として、指で押し易いようにしている。また、上端縁部には後方へ僅かに突出する突起部２３１を形成して、ロック状態において、操作部材２の位置決めを容易にしている。また、操作部材２において、操作部材２の上縁部と窓部２１間の桟部材２３の背面は、舌状の弾性係止片１４の裏面（表示本体側）と当接又は近接させるため、平面状としている。また、操作部材２の後方両側縁部には、表示本体１の案内部１６にガイドされる切り欠き部２９が形成されている。また、切り欠き部２９を途中までとすることで、段差状の当たり部２８を形成している。段差当たり部２８は、操作部材２を押し上げる際、下方の案内部１６の下端と当接して、操作部材２の上方移動を規制するストッパーとなるものである。また、操作部材２の表示本体側の両側縁のほぼ中央には、斜め下方に突出する突起部２７が形成されている。
【００１１】
表示本体１は、取付部材３に回動自在に取り付けられる共に、表面に電子棚札Ａを取り付けるものである。従って、表示本体１の表面の上下端には、電子棚札Ａを差し込むための折り返し片１１、１２が形成されている。また、表示本体１の背面には、取付部材３連結用の両腕状部１５を左右両側に付設し、操作部材２の上下方向の移動を案内する案内部１６を、両腕状部１５の内側に付設し、舌状の弾性係止片１４を中央のやや上方位置に付設し、弾性支持部の突部２５が嵌合する係止孔１３を案内部１６の内側であって正面視のやや左側下方に付設している。なお、弾性係止片１４と対峙する位置には弾性係止片１４の抜け窓１４１を形成して弾性係止片１４の弾性変形の障害とならないようにしている。また、案内部１６を形成する表示本体１側には、４つの貫通縦スリット１７を形成している。貫通縦スリット１７の下方の２つは、ロック状態において、操作部材２の突起部２７と当接して、操作部材２の下方移動を規制している。
【００１２】
弾性係止片１４には、後方へ僅かに突出する先端係止片１４１を形成して、取付部材の係止溝３６との係止を可能にしている。また、弾性係止片１４の裏面（表示本体側）には、段差を設けて先端平面部１４２を形成すると共に、該段差部に操作部材２の突起部２３１が係り止めされるようにしている。
【００１３】
表示本体１と操作部材２の組み付け状態を図６を参照して説明する。表示本体１と操作部材２とは、操作部材２は弾性支持部の突部２５が表示本体１の背面に向くように配置され、操作部材２を表示本体１の背面の案内部１６に嵌るように且つ操作部材２の先端部分が表示本体１と弾性係止片１４間に潜り込ませる。次いで、弾性支持部２４の突部２５を表示本体１の係止孔１３に嵌合させる（図６）。この組み付け体はロック状態であって、操作部材２の上縁部と窓部２１間の桟部材２３と弾性係止片１４の裏面２３とは当接又は近接状態にあり、操作部材２の両側の突起部２７が表示本体１の下方の貫通縦スリット１７に入り込み、貫通縦スリット１７の下端と係止している。また、操作部材２の下部は、表示本体１の下端から下方へ突出した状態となっている。
【００１４】
図６の組み付け状態において、弾性支持部２４のバネ力に抗して操作部材２を押し上げると、操作部材２の窓部２１が弾性係止片１４と対峙する位置にくることになり、弾性係止片１４は支えが外された状態となる（図７）。このため、取付部材３の係止溝３６を形成する係止突起が当たると、表示本体側へ容易に弾性変形する。
【００１５】
取付部材３は、陳列棚等の前方部に配した取付部に係合する係合部材と、該舌状の弾性係止片と係合する複数の係止溝を備え、更に表示本体１と連結する両腕部３７を左右両側端部に備える。係合部材は、肉抜きされた上部本体部３２と、上部本体部３２の下端から下方に向かって広がる八の字形状の弾性取付片３１から形成される。上部本体部３２の上端部と弾性取付片３１の先端部には、陳列棚等の前方部に配した取付部に係止するための係止溝３４が形成されている。取付部材３に弾性取付片３１を形成することにより、陳列棚の前方部に配した取付部の凹嵌部の上下幅寸法が多少違っていても、適用することができる。すなわち、凹嵌部の上下幅寸法が小さいものに、八の字形状の弾性取付片３１を取り付けると、八の字形状が更に大きく足を広げた末広がり状になり、小さい幅寸法の凹嵌部にうまく嵌り込む。両腕部３７の先端は、内側に僅かに屈曲しており、表示本体１の両腕部１５と連結し易いようにしている。
【００１６】
取付部材３の表示本体側の中央部に形成される複数（本例では３つ）の係止溝（横溝）３６は、半円筒部材の周面の一部に形成される固定溝である。この係止溝３６の溝形状は、舌状の弾性係止片１４３と係止可能な鋸刃形状である。係止溝３６は、アンロック状態において、係止溝３６を形成する突起先端が弾性係止片１４の先端係止片１４３と僅かに干渉するような位置にある。これにより、表示本体１を弱い力で回動させることができ、且つ弾性係止片１４が先端係止片１４３を乗り越える度に、カチ、カチとの音を発するか、あるいは手に振動を与える（図８参照）。
【００１７】
本例の表示ホルダ１０が設置される陳列棚等の前方部に配した取付部としては、図９及び図１０に示すような、内側に屈曲した係止片を上下端に備える凹嵌部ＣやＤが挙げられる。なお、図９及び図１０中、符号Ｅは商品転落防止板である。
【００１８】
表示ホルダ１０を組み付けるには、先ず、操作部材２を弾性支持部の突部２５が表示本体１の背面に向くように配置して、表示本体１の背面の案内部１６に嵌るように且つ操作部材２の先端部分が表示本体１と弾性係止片１４間にくるように潜り込ませる。次いで、表示本体１の両腕部１５と取付部材３の両腕部３７を連結する。この際、弾性係止片１４の先端係止片１４と表示本体１の複数の係止溝３６のいずれか一つの係止溝と係止させる。これにより、図５、図９及び図１０に示すような組付け体を得ることができる。なお、図５、図９及び図１０の場合、弾性係止片１４の先端係止片１４は表示本体１の複数の係止溝の中、中間位置にある係止溝に係止しているため、表示部は取付部材３の本体部と平行となっている。また、図９及び図１０の状態がロック状態であり、操作部材２の突起部２７が表示本体１の下方の貫通縦スリット１７に入り込み、貫通縦スリット１７の下端と係止しているため、操作部材２を下方に引っ張っても動かない。
【００１９】
一方、表示ホルダ１０において、図５、図９及び図１０の設置位置から表示部を上向きに変更する場合、弾性支持部２４の弾性に抗して操作部材２を押し上げることでロックを解除する。その際、弾性係止片１４の先端部分は、支えが外れて、操作部材２の窓部２１に対峙する位置にくるため、弾性変形し易い状態となる。この係止状態において、表示本体１を上方へ回動させると、弱い力で角度の調節ができると共に、弾性係止片１４の先端係止片１４３が係止溝３６を形成する鋸刃状突起を乗り越える際、例えばカチとなる音感や振動などでその調節感を作業者に感じさせることができる。そして、弾性係止片１４の先端係止片１４３と係止溝３６の上側溝が係止したら、操作部材２の押し上げを止める。すると、弾性指示部２４のバネ力で操作部材２は押し下げられ、操作部材２の上部の桟部材２３が、弾性係止片１４を裏面（表示本体側）に当接または近接する位置となり、弾性係止片１４は弾性変形ができないロック状態となる。
【００２０】
また、表示ホルダ１０において、図５、図９及び図１０の設置位置から表示部を下向きに変更する場合、前記同様にロックを解除する。ロック解除状態において、表示本体１を下方へ回動させると、弱い力で角度の調節ができると共に、弾性係止片１４の先端係止片１４３が係止溝３６を形成する鋸刃状突起を乗り越える際、例えばカチとなる音感や振動などでその調節感を作業者に感じさせることができる。そして、弾性係止片１４の先端係止片１４３と係止溝３６の下側溝が係止したら、操作部材２の押し上げを止める。すると、弾性指示部２４のバネ力で操作部材２は押し下げられ、操作部材２の上部の桟部材２３が、弾性係止片１４を裏面（表示本体側）に当接または近接する位置となり、弾性係止片１４は弾性変形ができないロック状態となる。
【００２１】
次ぎに本発明の第２の実施の形態における表示ホルダを図１１〜１４を参照して説明する。図１１は本実施の形態例の表示ホルダの斜視図、図１２は図１１の表示ホルダを裏から見た斜視図、図１３は商品陳列棚に設置された表示ホルダの側面図、図１４は他の商品陳列棚に設置された表示ホルダの側面図をそれぞれ示す。
【００２２】
図１１〜１４の表示ホルダ１０ａにおいて、図１〜図１０の表示ホルダと同一構成要素には同一符号を付して、その説明を省略し、異なる点について主に説明する。すなわち、表示ホルダ１０ａにおいて、表示ホルダ１０と異なる点は、取付部材３の係合部材の形状である。すなわち、表示ホルダ１０ａの係合部材は、左右一対の弾性押圧片３１ａを備えるフック部材３ａである。このフック部材３ａは、例えば陳列棚等の前方部に配した取付部が、図１３に示されるような鉛直方向に延びるプレート板７１、あるいは横棒部材が上下３段の付設された横棒部材７２の場合に適用できる。
【図面の簡単な説明】
【００２３】
【図１】本実施の形態例の表示ホルダの斜視図。
【図２】図１の表示ホルダを裏から見た斜視図。
【図３】図１の表示ホルダの分解斜視図。
【図４】図１の表示ホルダの裏から見た分解斜視図。
【図５】図１の表示ホルダ（ロック状態）の側面図。
【図６】ロック状態における舌状の弾性係止片とロック/アンロック操作部材の位置関係を説明する図。
【図７】アンロック状態における舌状の弾性係止片とロック/アンロック操作部材の位置関係を説明する図。
【図８】アンロック状態における表示ホルダの側面図。
【図９】商品陳列棚に設置された表示ホルダの側面図。
【図１０】他の商品陳列棚に設置された表示ホルダの側面図。
【図１１】本実施の形態例の表示ホルダの斜視図。
【図１２】図１１の表示ホルダを裏から見た斜視図。
【図１３】商品陳列棚に設置された表示ホルダの側面図。
【図１４】他の商品陳列棚に設置された表示ホルダの側面図。
【符号の説明】
【００２４】
１    表示本体
２    ロック/アンロック操作部材
３    取付部材
１０、１０ａ    表示ホルダ
１１、１２    折り返し片
１４    弾性係止片
１５    両腕状部
１６    案内部
２１    窓部
２２    第２窓部
２３    桟部材
２４    弾性支持部
２５    突部
３１    係合部材
３１ａ  フック部材
３６    係止溝
１４１    先端係止片
２３１    突起部
Ａ      電子棚札
Ｂ      商品陳列棚
Ｃ、Ｄ    凹嵌部
【図１】
2008151984.tif 000003
【図２】
2008151984.tif 000004
【図３】
2008151984.tif 000005
【図４】
2008151984.tif 000006
【図５】
2008151984.tif 000007
【図６】
2008151984.tif 000008
【図７】
2008151984.tif 000009
【図８】
2008151984.tif 000010
【図９】
2008151984.tif 000011
【図１０】
2008151984.tif 000012
【図１１】
2008151984.tif 000013
【図１２】
2008151984.tif 000014
【図１３】
2008151984.tif 000015
【図１４】
2008151984.tif 000016